(57)【要約】      （修正有）【課題】ゴルフクラブ等の展示用支持装置に於いて、該ゴルフクラブのグリップを下にして、斜めに展示したゴルフクラブのヘッド部の上位の位置がうまく定まらず、ユーザが展示装置から取り外し、素振りなどをした後、戻してもきれいに並べるのは難しかった。また、上位の支点を構成する穴の素材は、プラスチックを使用し、ゴルフクラブに傷がつかないようにすると、逆に展示装置に傷や圧痕がつくという問題がある。【解決手段】上位の支点を構成する穴４を二円をベースに作製し、一つはグリップの接触位置の断面径と同じ大きさの円形にし、立てかけた時きっちり収まるようにし、一方でグリップがその挿入穴に入りやすいようにグリップの最大断面径より少し大きい円形で作り、この二円を組み合わせて作った。また、穴４を切削加工で加工した後、バリ取りなどの仕上げ加工を省く為に、穴４と略同形のゴム成型パッキンを装着するようにした。【選択図】図３
2009072557.tif 000002
【特許請求の範囲】
【請求項１】
ゴルフクラブ等の展示用支持装置に於いて、該ゴルフクラブのグリップを下にして、該グリップを安定的に隔てた上位と下位の２支点で支持するグリップ方式の展示用支持装置であって、該上位支点を構成する素材として、アクリル等のプラスチック板を用い、かつ該上位の支点を構成する前記ゴルフクラブのグリップを挿入する穴は、該上位支点と接触する部分の断面経と略同じ半径を持つ円形と、該グリップの端部で該グリップの最大断面経をなす部分よりやや大きい半径を持つ円形の二円を中心点をずらせて組み合わせて作ったことを特徴とするグリップ方式の展示装置
【請求項２】
前記穴には、該穴の形状と略同形をし、前記プラスチック板に安定的に固着するように構成したゴム成型パッキンを装着するように構成したことを特徴とする請求項１に示したゴルフクラブ等の展示用支持装置
【請求項３】
前記プラスチック板に装着したゴム成型パッキンは、該装着後、前記ゴルフクラブのグリップが該穴を通り抜け易くするよう該穴の上方ないし下方から中心部に向かってテーパ状に膨らむように構成したことを特徴とする請求項２に示したゴルフクラブ等の展示用支持装置
【発明の詳細な説明】
【技術分野】
【０００１】  本発明は、ゴルフクラブ等の展示用支持装置に関する
【背景技術】
【０００２】  ゴルフクラブ等の展示用支持装置は、そこに展示するゴルフクラブが、来店するユーザーから見て、きちっと並んでいることが、装置としての望ましい要件である。また、装置自体も汚れたり傷ついたりすることなく管理することができ、なおかつ相応の値段で入手することも要件となる。本出願人は、そこでこれまで、ゴルフクラブのヘッドを懸架するタイプに於いて、いくつかの特許を出願してきた。【０００３】  本願では、これに対してゴルフクラブのグリップを下にして置き、該グリップを安定的に隔てた上位と下位の２支点で支持するゴルフクラブ等の展示用支持装置に関する。本出願人は、これについても先に、この下位の支点に当たるグリップエンドを支える構造に工夫を加え、グリップエンドの先端を一点で支持するのではなく、任意の角度に支持する構造を出願し、一度展示用支持装置に展示したゴルフクラブが安定的に展示できるものを提案している。【０００４】  前者をクラブヘッド懸架方式とし、後者をグリップ支持方式とすると、ゴルフショップによっては、これらを展示目的によって使い分け、店舗イメージを高めたり、ユーザが購入しやすい店舗環境を作ってきた。【０００５】  例えば、懸架方式は、ユーザが手に取って素振り等した後、元に戻しやすくし、店員の手間隙がかからないようにしているため、頻繁に取り外しするようなゴルフクラブの展示用として使い、グリップ支持方式は、新商品の展示コーナー用の展示などとして使い、ユーザも手に取ることもできるようにしてはいるが、上方に懸架部がない分、ゴルフクラブをすっきりと見せることができ、展示を主とした使い方をする等の使い分けである。【０００６】
【特許文献】  特開平１１−３３２７０５  特開２００３−３１０４０２  特開２００４−１３６０６９  特開２００５−１５７２３６  特開２００６−２２３８６７
【発明の開示】
【発明が解決しようとする課題】
【０００７】  図２は、これまでのグリップ支持方式の展示用支持装置の一実施例である。（２）は展示用支持装置で、（２ａ）は上位の支持部、（２ｂ）は下位の支持部である。図３は、この展示用支持装置の拡大図である。（４）は上位の支持部（２ａ）に作った穴であり、（４ａ）は支点である。（８）はグリップエンドを支持する下位の支点である。ゴルフクラブ（１０）をこの展示用支持装置（２）に展示したとき、支持部（２ａ）の支点（４ａ）と支持部（２ｂ）の支点（８）とは水平方向で位置をずらしているため、展示したゴルフクラブ（１０）は、ユーザ側にヘッド部が傾斜して展示される。【０００８】  ところで、このようにゴルフクラブのヘッド部を上にし、グリップ部を下に展示するグリップ支持方式をとるとき、図２、図３で示したユーザ側にヘッド部が傾斜するウッドクラブを立てかけるものの他に、ユーザ側から見て、左右に傾斜させて安定的にさせるものも考えられる。【０００９】  アイアンクラブ（右利き用）の場合は、この穴（４）の支点（４ａ）の位置を変えて図面上上部に突起している形状にすると、アイアンクラブヘッドは、ユーザから見て左手に傾斜し、ヘッド部が見やすい展示位置となる。いずれにせよ、ゴルフクラブは傾斜させて支えるようにしている。【００１０】  このような展示装置は、アクリル等のプラスチックの板材を使用し、穴（４）は切削加工で穴あけし、エッジ部分の仕上げ加工を行って完成させる。ところが、これまでは三つの点で問題があった。一つは、この穴（４）にゴルフクラブ（１０）のグリップ（１０ａ）を挿入して立てかけたとき、グリップ（１０ａ）がこの穴（４）のエッジに当たり、傷が付いたり、打痕がついたりする問題が出たことがある。もう一つは、この穴（４）を切削加工した後、ヤスリでエッジ部のバリを取ったり平滑化する加工を行い、ガスで焼いて仕上げ加工を行うが、この仕上げが手間をとり、コストもかかったという問題があった。【００１１】  さらにもう一つは、基本問題であるが、穴の形状として、ゴルフクラブのグリップがこの穴に投入しやすく、かつ立てかけた時に安定する形状、寸法をどのように設定するかという問題である。そこで本願の目的は、傷や打痕が付きにくく、またこれら仕上げ加工にコストがかからない、そして立てかけやすいグリップ方式の展示装置を提案することである。
【発明を解決するための手段】
【００１２】  そこで、本願では、ゴルフクラブの展示用支持装置に於いて、該ゴルフクラブのグリップを下にして、該グリップを安定的に隔てた上位と下位の２支点で支持するグリップ支持方式の展示用支持装置であって、該上位支点を構成する素材として、アクリル等のプラスチック板を用い、かつ該上位支点を構成する前記ゴルフクラブのグリップを挿入する穴は、該グリップが、該上位支点と接触する部分の断面径と略同じ半径をもつ円と、該グリップの端部で該グリップの最大断面径をなす部分よりやや大きい半径をもつ円形との二円を、中心点をずらせて描き、組み合わせて作ったことを特徴とするグリップ方式の展示装置を提供し、上記問題を解決することを考えた。
【００１３】  さらに、該挿入する穴には、該穴の形状と略同形をし、前記プラスチック板に安定的に固着するように構成したゴム成型パッキンをはめ込むように構成したことを特徴とするグリップ方式の展示装置を考えた。
【発明の効果】
【００１４】  ゴルフクラブ等の展示用支持装置に於いて、該ゴルフクラブのグリップを下にして該グリップを安定的に隔てた上位と下位の２支点で支持するグリップ支持方式の展示装置で、本発明を使用すればゴルフクラブを立てかけ易く、立てかけたものは誰が立てても安定的に一定方向を向き、しかも展示装置に傷や打痕の付きにくいものになった。
【００１５】  高価なゴルフクラブを展示する展示装置にふさわしく、この穴回りの加工を行えば、切削加工後のバリを取ったり、エッジを平滑化し、見栄え装飾用のガス焼きなどの仕上げ加工コストがかかったが、ゴム成型パッキンを装着することによって、これら仕上げ工程を省略でき、コストも安くなった。
【００１６】  従って、店舗側から言うと、一つの展示用支持装置を備えれば、高価なゴルフクラブにふさわしく展示することができ、展示コストの点でも、削減効果がある。
【発明の最良の実施例】
【００１７】  図１は、本発明によるゴルフクラブ等の展示用支持装置の一実施例であり、図１（ａ）は上面図、図１（ｂ）はゴルフクラブを展示した時の断面図である。図４は、図１（ａ）の穴（１４）の拡大図である。（１２）は、展示用支持装置で、（１２ａ）は上位の支持部、（１２ｂ）は下位の支持部、（１４ａ）は上位の支点、（１６）は下位の支点である。
【００１８】  この展示用支持装置（１２）は、上位の支持部（１２ａ）に支点（１４ａ）をもつ穴（１４）を持ち、下位の支持部（１２ｂ）に支点（１６）を持っている。支点（１６）の形状は、これまでと変わっていない。しかし、支点（１４ａ）をもつ穴（１４）は、図４の拡大図で見るように異なっている。ここでは、穴（１４）は中心点をずらせ、半径も異なる２つの円（１４ａ、１４ｂ）の接点を結んで構成している。ゴルフクラブ（１８）のグリップ（２０）が先端部で最大断面径をもつ、テーパ状になっていることを考え、円（１４ａ）の半径は上位の支持部（１２ａ）に接する地点でのグリップ径とほぼ同径にとり、円（１４ｂ）の半径はグリップ（２０）のグリップエンド（２０ａ）でのグリップの最大断面径よりやや大きめに穴径をとっている。
【００１９】  ゴルフクラブ（１８）をこの展示用支持装置（１２）に展示しようとするとグリップ（２０）のグリップエンド（２０ａ）を穴（１４）の大きい径（１４ｂ）を通して、支点（１６）に到達させ、支点（１６）で支持し、グリップ（２０）は、穴（１４）の支点（１４ａ）にはまって、安定的に支持される。
【００２０】  図１の図面上で、図面上左側は、ユーザがいる方向である。ゴルフクラブ（１８）のグリップエンド（２０ａ）を支点（１６）に置いた上で、グリップ（２０）を穴（１４）の支点（１４ａ）の方に傾けて置くと、ユーザ側にクラブヘッド（２２）がよく見えるように展示することができる。また、クラブヘッドの自重があるため一定方向に並ぶことになる。
【００２１】  本願の展示用支持装置（１２）では、上位の支持部（１２ａ）も下位の支持部（１２ｂ）もアクリルを素材とするプラスチック板を用いているが、下位の支持部（１２ｂ）のフラット部分は金属性の板をし、プラスチックに結合するように使用してもよい。いずれにせよ、上位の支持部（１２ａ）には穴（１４）を設け、グリップ（２０）を斜めに立てかけて受け止める支点（１４ａ）を設けているためグリップ（２０）と支点（１４ａ）は接触する。そこで、この上位の支持部（１２ａ）は、展示商品であるゴルフクラブ（１８）のグリップ（２０）に傷をつけないためプラスチック板を用いている。
【００２２】  その上で、ゴルフクラブ（１８）をこのグリップ方式の展示装置（１２）に立てかけるに際し、グリップ（２０）の断面最大径よりやや（０．５〜１ｍｍ）大きく、穴（１４）の最大径（１４ｂ）をとるようにしているため、この穴（１４）にグリップエンド（２０ａ）を挿入すれば、グリップエンド（２０ａ）自体、テーパ状になっているため挿入が容易にできる。また、グリップ（２０）が支点（１４ａ）に接触する部分の断面径とほぼ同一寸法で、支点（１４ａ）の半径を定めることによって、ゴルフクラブ（１８）を立てかけたときに、丁度このグリップ（２０）が支点（１４ａ）にはまりヘッド部の自重によって、ヘッドがそろうように方向をそろえる自由度のある展示、安定的な展示ができるようにしている。
【００２３】  通常、このグリップ方式の展示用支持装置（１２）を作製する時には、上位の支持部（１２ａ）のアクリル板に寸法を落とし、穴（１４）を切削加工で加工し、穴を切り落とした後の穴のエッジ部はヤスリ等で再加工した上で、ガス焼きなどを行って表面装飾する。いわゆる仕上げ加工を行う。ところがこの仕上げ加工に専門的な技術や時間がかかり、従ってコストが大変かかる。
【００２４】  また、それだけでなく、展示商品であるゴルフクラブ（１８）に傷を付けないために、アクリル等のプラスチック板を設けたが、この穴（１４）の部分をむき出しにしておくと、ゴルフクラブ（１８）をこの展示用支持装置（１２）に立てかけ、展示する際に、プラスチック板に傷や圧痕が付くことがわかった。そこで本願では、この穴（１４）に穴と略同形の合成ゴムで作製したパッキンを装着し、ゴルフクラブ（１８）のグリップ（２０）と穴（１４）が直接接触しないように被覆するようにした。
【００２５】  図５は、合成ゴム製のパッキンの断面図（図５ａ）である。（３０）は合成ゴム製のパッキンである。このパッキン（３０）を、プラスチック板（１２ａ）の穴（１４）に装着すると新たにできる穴（３２）の半径は１ｍｍ小さくなる。一方、プラスチック板（１２ａ）への喰い込みは約４ｍｍとして、はめ込み厚さはプラスチック板と同厚の５ｍｍとしている。
【００２６】  別個に成型して作製したこのパッキン（３０）をプラスチック板（１２ａ）の穴（１４）に装着する。この時、穴は仕上げ加工を行わず装着することができる。パッキン（３０）を装着した展示用支持装置（１２）にゴルフクラブ（１８）のグリップ（２０）を挿入すると、パッキン（３０）の穴径は小さくなっているため。グリップ（２０）の最大断面経が大きく、グリップ（２０）が引っかかるが、パッキン（３０）は図６の断面詳細図で見るように、その引っかかる部分（３４）をテーパ状に成型し、グリップ（２０）を穴（１４）の中に誘導するようにしている。
【００２７】  また、立てかけたゴルフクラブ（１８）を展示装置（１２）から引き抜こうとする時にもスムーズに引き抜けるように、その部分（３６）をテーパ状に成型している。このように合成ゴムを作ったパッキンは、プラスチック板（１２ａ）の穴（１４）の部分を脱落がないようにしっかりとカバーし、ゴルフクラブ（１８）の展示や取り出しなどによって傷や打撃痕がつかないようにし、なおかつ、出し入れにおいて支障がないように構成して作っている。
【００２８】  図７は、グリップ方式の展示用支持装置のその他の実施例の上位の支持部に設けた穴の形状を示す図であり、（４０）はその穴、（４０ａ）、（４０ｂ）、（４０ｃ）は３点ある支点である。図１をベースとして、穴（４０）が作られ、その詳細図が図４であるが、その図４の穴（１４）に対して図７の穴（４０）を置き換えて図１の展示用支持装置を作る。
【００２９】  支点（４０ａ、４０ｂ、４０ｃ）の径は、支点（１４ａ）の径と同じで、立てかけたグリップ（２０）が接触する地点の断面経と略同じである。（４０ｄ）は、グリップ（２０）の断面最大径より少し大きい（０．５〜１ｍｍ）半径の大きさをとって、全体の穴（４０）を構成している。この展示装置は、ウッドクラブ用として支点（４０ａ）を使用し、アイアンクラブ（右打ち）用として支点（４０ｂ）、アイアンクラブ（左打ち）用として支点（４０ｃ）を用い、一つの展示装置で３種類のクラブを展示できるようにしたものであり、ここでも本願の方式を生かし、展示に際して立てかけ易く、傾斜して立てかけたところで安定的に展示できる工夫をしている。
【００３０】  また、ここでは図示しないが、この図７のタイプの展示用支持装置にもそれに合った合成ゴム成型パッキンを装着し、請求項２で示した本願発明を実施できることは言うまでもない。
【００３１】  以上のように本願では、グリップ支持方式の展示用支持装置に於いて、グリップを支持する上位の支点を構成する穴とその支点の保護に工夫を加え、本願展示装置に展示したゴルフクラブをユーザが取り外して手に取って、素振りをするなど、その品質性能を確かめた上で、元に戻す場合も、ゴルフクラブのヘッドの重さと、グリップを支える安定点との関係で、簡単に元に戻すことができ、ほぼ同一の方向にそろって展示することができる。
【００３２】  以上、本願発明を具体的な実施例によって説明してきたが、本願はこれら具体的な実施例に限定されず、特許請求の範囲で請求する範囲をカバーすることは言うまでもない。例えば、図７は支点（４０）が３方向に安定点（４０ａ、４０ｂ、４０ｃ）を持っているが、これを安定点（４０ａ）の反対側に、もう一つ安定点をつくり、４方向の安定点を持つんものにし、左利き用のウッドフックを展示することもできる。その場合は、下位の支点の位置や形状を工夫することもある。また、上位の支持部としてアクリルではなく、より硬度があり、耐久性も優れているポリカーボネート等のプラスチック板を使ってもよい。
【産業上の利用可能性】
【００３３】  ゴルフクラブの種類は、ウッドクラブ、アイアンクラブに限られず、パタークラブ他もあるが、従来これらを展示するためにはユーザが手に取って素振り等を行い、元の展示装置に戻す等を考えたとき、そのたびごとに店員の手を煩わせずに、元の「正しい位置」に展示できるようにしたい。またこれら展示用支持装置に展示するゴルフクラブの商品は時と共に変化して行くが、展示装置は長く使って行くものである。そこで、ユーザなども元に戻しやすく、しかも展示装置がいつまでも傷などをつかず、装飾性を保つことが要求される。本願発明は、特にそうした用途を考えたとき、産業上の利用可能性は高い。【００３４】  また、新商品の紹介という点だけでなく、普及品などの展示用支持装置としても、備えておけば、店舗在庫管理などの点で大きな効果が期待され、この面でも産業上の利用性が高い。
【図面の簡単な説明】
【００３５】
【図１】本発明による展示用支持装置の一実施例であり、図１（ａ）は上面図、図１（ｂ）はこの展示用支持装置にゴルフクラブを立てかけた時の断面図である。
【図２】従来の展示用支持装置の一実施例であり、図２（ａ）はその上面図、図２（ｂ）は、ゴルフクラブを立てかけた時の図である。
【図３】図２（ｂ）に示した展示用支持装置の拡大図
【図４】図１（ａ）に示した展示用支持装置の穴の拡大図
【図５】本願発明のゴム成型パッキンとそれを装着した挿入穴の図で、図５ａはパッキンの断面図、図５ｂは挿入穴の上面図
【図６】本願発明の図５に示したゴム成型パッキンの断面詳細図
【図７】上位の支持部の挿入穴と支点の形状を、図１とは変えた本願発明による展示用支持装置の実施例で、その上面図
【符号の説明】
【００３５】  １２・・・・・・展示用支持装置
１２ａ・・・・・上位の支持部
１２ｂ・・・・・下位の支持部
１４・・・・・・穴
１４ａ・・・・・支点
【図１（ａ）】
2009072557.tif 000003
【図１（ｂ）】
2009072557.tif 000004
【図２（ａ）】
2009072557.tif 000005
【図２（ｂ）】
2009072557.tif 000006
【図３】
2009072557.tif 000007
【図４】
2009072557.tif 000008
【図５（ａ）】
2009072557.tif 000009
【図６】
2009072557.tif 000010
【図７】
2009072557.tif 000011